(57)【要約】【課題】特定部分画像に基づいて原稿画像に分類情報を付して記憶手段に記憶させる際に、データ分類処理を自動的に行わせるとともに、更新情報を付加して記憶させるようにした画像処理装置及び方法を提供する。【解決手段】原稿の処理対象面から読取った画像と、処理対象面の反対面から読取った裏写り画像とから、処理対象面に付された特定部分画像を検出して、処理対象面から読取った画像に分類情報を付して記憶手段に記憶する画像処理装置である。前記の特定部分画像に基づいて、処理対象面の画像にデータ分類処理を行うデータ分類手段を備え、処理対象面から読取った画像が、更新された画像である場合は分類情報に更新情報を付加して記憶する。【選択図】図１
2008077197.tif 000002
【特許請求の範囲】
【請求項１】
原稿の処理対象面から読取った画像と、前記処理対象面の反対面から読取った裏写り画像とから、前記処理対象面に付された特定部分画像を検出して、前記処理対象面から読取った画像に分類情報を付して記憶手段に記憶する画像処理装置であって、
前記特定部分画像に基づいて、前記処理対象面の画像にデータ分類処理を行うデータ分類手段を備え、前記処理対象面から読取った画像が、更新された画像である場合は前記分類情報に更新情報を付加して記憶することを特徴とする画像処理装置。
【請求項２】
前記データ分類処理は、前記特定部分画像に基づいて前記処理対象面の画像に前記分類情報を付す処理を含むことを特徴とする請求項１に記載の画像処理装置。
【請求項３】
前記データ分類処理は、前記特定部分画像と前記分類情報を関連付けて、データベースとして記憶する処理を含むことを特徴とする請求項１に記載の画像処理装置。
【請求項４】
前記データ分類処理の結果、前記処理対象面から読取った画像がアクセス制限する画像である場合は、アクセス制限手段によりアクセス制限されることを特徴とする請求項１又は２に記載の画像処理装置。
【請求項５】
原稿の処理対象面から読取った画像と、前記処理対象面の反対面から読取った裏写り画像とから、前記処理対象面に付された特定部分画像を検出して、前記処理対象面から読取った画像に分類情報を付して記憶手段に記憶する画像処理方法であって、
前記特定部分画像に基づいて、データ分類手段前記処理対象面の画像にデータ分類処理を行い、前記処理対象面から読取った画像が、更新された画像である場合は前記分類情報に更新情報を付加して記憶することを特徴とする画像処理方法。
【請求項６】
原稿の処理対象面から読取った画像と、前記処理対象面の反対面から読取った裏写り画像とから、前記処理対象面に付された特定部分画像を検出する処理と、前記処理対象面から読取った画像に分類情報を付して記憶手段に記憶する処理をコンピュータに実行させるための画像処理プログラムであって、
前記特定部分画像に基づいて、データ分類手段前記処理対象面の画像にデータ分類処理を行う処理と、前記処理対象面から読取った画像が、更新された画像である場合は前記分類情報に更新情報を付加して記憶する処理とを、コンピュータに実行させるための画像処理プログラム。
【請求項７】
請求項６に記載の画像処理プログラムが記録されたコンピュータ読み取り可能な記録媒体。
【発明の詳細な説明】
【技術分野】
【０００１】
本発明は、原稿画像を読取って裏写りする特定部分画像を検出し、その特定部分画像に基づいて原稿画像に分類情報を付して記憶手段に記憶させる画像処理装置、画像処理方法、画像処理プログラム及び記録媒体に関する。
【背景技術】
【０００２】
複写機等の画像処理装置では、原稿画像をスキャナ等で読取って、記憶手段へ保存したり、他装置へ送信したり、あるいは記録紙へ記録（画像形成）する等の処理を行っている。そして、企業内で扱われる原稿画像には、原稿作成者や発行部署、提示先（個人、部署、会社等）、発行日等、原稿の種類を特定できるスタンプや捺印等の特定の画像（部分画像）がインク（赤色インク等）や朱肉等を用いて手操作で記録される場合が多い。一方、近年のプリンタや複写機、ファクシミリ装置等で画像形成された原稿は、その記録情報（画像）が記録紙の裏面にまで写り込む（裏写りする）ことはほとんどない。したがって、スタンプ等の画像を検出することによって、ある程度どのような種類の原稿であるかを判定することができる。
【０００３】
従来、原稿画像に基づいて、その原稿画像の処理する技術としては、例えば、特許文献１に、上記のスタンプ等の特定画像が付された原稿の処理対象面（おもて面）の画像を読取ると共に、その反対面（裏面）からスタンプ等の特定画像の裏写り画像を読取り検出することにより、原稿が特定原稿であることを判別することが提案されている。そして、その判別結果に基づいて、指定された処理対象面の画像の出力（記録紙への複写、指定相手先への送信等）を制限することができるようにしている。
【０００４】
図６は、所定のスタンプが押印された原稿の一例（おもて面と裏面）を模式的に表した図である。ここで、図６（Ａ）は、おもて面（処理対象面）、図６（Ｂ）は裏面（反対面）を表す。図６に示すように、インクを用いた手操作による記録情報（スタンプ画像等）は、原稿の裏面（処理対象面の反対面）にまで写り込むことが通常である。即ち、ほとんどの場合、原稿の処理対象面の反対面に現れる画像は、スタンプ画像等の裏写り画像のみであると言え、反対面の画像において特定部分画像（スタンプ画像等）をそれ以外の画像と識別して抽出する必要がなくなる。また、その原稿が特定原稿であることを表すスタンプ等による特定画像を付す位置を定めなくても、演算負荷の低い簡易な演算処理により誤判定することなく特定原稿の判定を行うことができるとされている。
【０００５】
また、原稿から読取った画像をハードディスク等の記憶手段に記憶させる機能を備えた画像処理装置では、多数の画像（画像データ）が記憶された場合に、それらの中から目的とする画像を容易に選択できることが要望されている。このため、従来の画像処理装置では、画像読取り時に、所定の操作入力手段を通じて、読取り画像にフォルダ名や分類情報（属性情報・タイトル等）を付して記憶させたり、指定されたフォルダ名や分類情報と関連付けて記憶させたりしている。
【０００６】
これにより、画像データの記憶先をフォルダ単位で管理するファイルシステムや、各々分類情報が対応付けられたデータベースから目的とする画像データを検索するデータベースシステム等により、記憶された複数の画像の中からアクセス対象とする画像を容易に選択することができる。
【特許文献１】特開２００５−１５０９７６号公報
【発明の開示】
【発明が解決しようとする課題】
【０００７】
しかしながら、複数の記憶画像の中から目的とする画像が容易に選択できるように、読取り画像（原稿画像）にファイル名を付すなどの分類付けして記憶手段に記憶させるためには、予め複数のフォルダを設定しておいて、原稿を読取るごとに記憶先とするフォルダを指定することや、原稿を読取るごとに分類情報を入力することの煩わしい操作が必要となり、利用者の負担が大きいという問題点があった。
【０００８】
また、特許文献１に開示の裏写り画像を用いて特定画像を検出し、特定原稿を判定する場合においても、原稿画像は、一度読み込んでフォルダや分類情報を付した後に、再度読み込まれることがある。この場合、再度読み込まれる際に、印やスタンプの追加等で、裏写り画像から検出される特定画像が前回に読取ったときと異なることになる。このような場合には、前回に読取られた原稿と同じ原稿画像であるにもかかわらず、異なるものとして再度新たなフォルダや分類情報が付されて記憶されてしまうという問題がある。
【０００９】
本発明は、上記のような実情に鑑みてなされたものであり、特定部分画像に基づいて原稿画像に分類情報を付して記憶手段に記憶させる際に、データ分類処理を自動的に行わせるとともに、更新情報を付加して記憶させるようにした画像処理装置、画像処理方法、画像処理プログラム及び記録媒体の提供を目的とする。
【課題を解決するための手段】
【００１０】
本発明による画像処理装置並びに方法は、原稿の処理対象面から読取った画像と、処理対象面の反対面から読取った裏写り画像とから、処理対象面に付された特定部分画像を検出して、処理対象面から読取った画像に分類情報を付して記憶手段に記憶する画像処理装置である。前記の特定部分画像に基づいて、処理対象面の画像にデータ分類処理を行うデータ分類手段を備え、処理対象面から読取った画像が、更新された画像である場合は分類情報に更新情報を付加して記憶することを特徴とする。
【００１１】
前記のデータ分類処理は、特定部分画像に基づいて処理対象面の画像に分類情報を付す処理を含み、また、特定部分画像と分類情報を関連付けて、データベースとして記憶する処理を含んでいる。さらに、データ分類処理の結果、処理対象面から読取った画像がアクセス制限する画像である場合は、アクセス制限手段によりアクセス制限されるようにしている。
【発明の効果】
【００１２】
本発明によれば、原稿の処理対象面の反対面の裏写り画像を検出した上で、処理対象面の特定部分画像（スタンプ等の画像）を検出し、その特定部分画像に基づいて分類情報を付すというデータ分類処理が自動的に行われるので、入力の手間を利用者に生じさせることなく分類が可能となる。また、原稿の特定部分画像が変更されている場合は、更新画像として処理されるので、同じ原稿画像を別の原稿画像として処理することがなくなる。
【発明を実施するための最良の形態】
【００１３】
図により本発明の実施の形態を説明する。図１は本発明による画像処理装置の概略を説明するブロック図、図２は画像処理装置の画像読取り部周辺の概略を説明する図である。
本発明による画像処理装置Ｘは、図１に示すように、通信部１１ａ、回線制御部１１ｂ、操作・表示部１２、第１画像メモリ１３ａ、第２画像メモリ１３ｂ、保存用メモリ１４、制御部１５、第１画像読取り部１６ａ、第２画像読取り部１６ｂ、画像処理部１７、印刷部１８及び給紙部１９等を具備している。
【００１４】
通信部１１ａは、通信線を介して所定のホスト装置との間で通信制御を行い、後述する第１画像読取り部１６ａで読取られる対象面の画像データ（以下、対象面画像データという）を、ホスト装置へ送信する等を行うものである。回線制御部１１ｂは、公衆回線（電話回線）を介した通信制御を行い、対象面画像データを相手先ファクシミリ装置へ送信する等を行うものである。操作・表示部１２は、本発明の画像処理を実行するための液晶タッチパネル等からなる入出力手段及び表示手段である。第１画像メモリ１３ａ及び第２画像メモリ１３ｂは、第１画像読取り部１６ａで読取られた対象面画像データ及び後述する第２画像読取り部１６ｂで読取られた反対面の画像データ（以下、反対面画像データという）を、一時的に記憶するＲＡＭ等からなる記憶手段である。
【００１５】
保存用メモリ１４は、各種設定情報（予め設定された画像情報等を含む）や対象面画像データをファイルシステム２５に記憶し、また、各種のデータベース２６を保存する大容量のハードディスク装置等からなる記憶手段である。制御部１５は、ＣＰＵ及びその周辺装置（ＲＯＭ、ＲＡＭ等）からなり、そのＲＯＭに格納された所定のプログラムに従った処理を実行することにより当該画像処理装置Ｘを制御するものであり、後述するデータ分類手段２３、データ更新手段２４を備えている。
【００１６】
第１画像読取り部１６ａ及び第２画像読取り部１６ｂは、原稿の処理対象面（おもて面）及びその反対面（うら面）のそれぞれから画像を読取る画像読取り手段である。画像処理部１７は、所定の画像処理プログラムが記憶されたＲＯＭ及びそのプログラムを実行するＤＳＰ（Digital Signal Processor）等からなり、読取られた画像データのシェーディング補正やその画像に含まれるスタンプ画像の検出処理等の各種画像処理を行う。また、この画像処理部１７には、本発明で用いられる裏写り画像検出手段２１、部分画像検出手段２２を有している。なお、印刷部１８は、対象面画像データに基づいてその画像を記録紙に画像形成するものであり、給紙部１９は、その印刷部１８への記録紙の供給を行うものである。
【００１７】
画像処理装置Ｘは、図２に示すように、原稿の処理対象面（保存や複写処理の対象となる画像が形成された面）から画像を読取る第１画像読取り部１６ａと、処理対象面の反対面の画像（裏写り画像）を読取る第２画像読取り部１６ｂとを各々独立して備えている。利用者により、原稿セットトレイ３１上に原稿が載置されると、原稿検知センサ３２が原稿をセットされたことを検知する。そして、操作・表示部１２から所定の読取り開始操作がなされると、ピックアップローラ３３で原稿を1枚づつ引出し、原稿をサバキ板３４と搬送ローラ３５間を通してプラテンガラス３６へと搬送する。次いで、原稿をプラテンガラス３６上で副走査方向に１枚ずつ搬送して最終的に排紙トレイ３７上に排出する。
【００１８】
このとき、第１画像読取り部１６ａによって原稿のおもて面（下側面）を読取る。第１画像読取り部１６ａの第１走査ユニット３９をポジションに移動して位置決めし、第２走査ユニット４０を所定位置に位置決めしておき、第１走査ユニット３９の露光ランプにより原稿の表面をプラテンガラス３６を介して照射し、原稿の反射光を第１及び第２走査ユニット３９、４０の各反射ミラーにより結像レンズ３８へと導き、原稿の反射光を結像レンズ３８によりＣＣＤ（Charge Coupled Device）からなる第１画像読取り部１６ａに集光させ、原稿のおもて面の画像をＣＣＤ上に結像させ、これにより原稿のおもて面の画像を読取る。
【００１９】
また、第２画像読取り部１６ｂによって原稿の裏面（上側面）を読取る。第２画像読取り部１６ａは、プラテンガラス３６の上方に配置されており、原稿の裏面を照射する露光ランプ（ＬＥＤ（Light Emitting Diode）アレイ、蛍光灯等）、画素毎に、原稿の反射光を集光するセルフォックレンズアレイ、及びセルフォックレンズアレイを通じて受光した原稿の反射光を光電変換して、アナログの画像信号を出力する密着イメージセンサ（CIS；Contact Image Sensor）等を備えている。
【００２０】
さらに、上部筐体を開いてプラテンガラス３６上に原稿を載置し、この状態で第１画像読取り部１６ａにより原稿のおもて面を読取ることが可能である。この場合は、第１及び第２走査ユニット３９、４０を相互に所定の速度関係を維持しつつ副走査方向に移動させ、第１走査ユニット３９によってプラテンガラス３６上の原稿を露光し、第１及び第２走査ユニット３９、４０によって原稿からの反射光を結像レンズ３８へと導き、結像レンズ３８によって原稿の画像を第１画像読取り部１６ａのＣＣＤ上に結像する。
【００２１】
入力された光の情報が光電変換され、電気的信号に変換された画像情報信号が画像処理部１７へ入力されて処理される。第２画像読取り部１６ｂは、光源及びＣＣＤが内蔵された密着型の画像読取りセンサであり、原稿の反対面の画像情報を電気信号に変換した画像情報信号を出力し、これが画像処理部１７へ入力されて処理される。画像処理部１７により画像処理された画像データが、それぞれ第１画像メモリ１３ａと第２画像メモリ１３ｂとに一時的に記憶される。
【００２２】
なお、図２では、第１画像読取り部１６ａと第２画像読取り部１６ｂとがほぼ対向する位置に配置され、ほぼ同時に原稿から画像を読取るように構成されているが、これらを原稿の搬送方向にずらして配置し、読取りタイミングをずらせて並行読取りする構成としてもよい。また、読取り時間が多少長くなるものの、第１画像読取り部１６ａと第２画像読取り部１６ｂのいずれか一方のみを設け、原稿の反転搬送機構を設ける等により、原稿の両面の画像を順次読取るよう構成してもかまわない。
【００２３】
画像処理装置Ｘでは、操作・表示部１２を通じて所定の原稿の読取り・保存処理の開始操作がなされ、第１画像読取り部１６ａ及び第２画像読取り部１６ａにより、原稿の処理対象面及び反対面の画像の読取り処理が実行される。次いで、画像処理部１７により、第２画像読取り部１６ｂにより得られた反対面画像データに基づいて、裏写り画像検出手段２１により、その画像に存在する裏写り画像が検出される。この後、第１画像読取り部１６ａによって読取られた対象面画像データに基づいて、部分画像検出手段２２により、その画像（処理対象面の画像）から反対面で検出された裏写り画像の位置に対応する位置（背面位置）の部分に存在する部分画像、即ち、裏写りの元になったスタンプや捺印、あるいはサインペン等による手書きサインやイラストのような裏写りする画像（以下、スタンプ等の画像という）が検出される。
【００２４】
そして、特定部分画像（スタンプ等の画像）に基づいて、制御部１５のデータ分類手段２３又はデータ更新手段２４により、保存用メモリ１４内のデータベース２６を参照してデータ分類処理が行われる。この結果、処理対象面の画像に分類情報を付加され、ファイルシステム２５の所定のファイルに記憶される。
【００２５】
次に、上述のように構成された画像処理装置Ｘで、特定部分画像を検出し、この特定部分画像により処理対象面の画像に対して、データ分類を自動的に付与する詳細を説明する。まず、裏写り画像検出手段２１による裏写り画像検出の一例について説明する。
第１画像読取り部１６ａ及び第２画像読取り部１６ｂによる原稿両面からの画像読取りが終了すると、まず、画像処理部１７により、第２画像メモリ１３ｂに記録された反対面画像データに基づいて、裏写り画像の検出処理が行われる。その際、その裏写り画像の位置（座標）も検出される。原稿には、通常、白地の用紙が用いられるので、反対面画像データにおける裏写り画像の検出は、例えば、反対面の画像における輝度レベルが所定レベル以下（画像濃度レベルが所定レベル以上）である画素（即ち、白色以外の有色である顕像）が、所定の単位面積当たりに所定比率以上占める場合にその画素群が裏写り画像であると判定することができる。
【００２６】
また、所定輝度レベル以下（所定濃度レベル以上）の画素群が所定の単位面積当たりに所定比率以上占める場合に、その画素群からなる画像が、予め保存用メモリ１４内のデータベース２６等に登録された特定画像のいずれかと近似しているか否かを判定し、近似している場合に、その画素群が裏写り画像であると判定することができる。この場合、例えば、スタンプ等の画像が円形枠を有する画像であるとされている場合、データベース２６に円形を表す登録画像を予め記憶させておき、検出された裏写り画像から抽出した輪郭画像が円形又は概ね円形であるか否を判定することによって、裏写り画像を検出することができる。なお、円形等の判定は、例えば、反対面画像の輪郭の縦横比や円形度が予め設定された範囲内にあるか否かを判定して行えばよい。
【００２７】
次いで、裏写り画像が検出された後の、特定部分画像検出手段２２による特定部分画像の検出の一例について説明する。
裏写り画像が検出された場合（裏写りありの場合）には、画像処理部１７の特定部分画像検出手段２２により、第１画像メモリ１３ａ内の対象面画像データに対して、裏写り画像の検出位置（座標）に対応する背面位置の部分に存在するスタンプ等の画像（特定部分画像）の検出が行われる。例えば、図６で先に説明したように、裏写り画像として円形枠の画像が検出された場合、その円形枠画像の検出座標について、例えば、Ｘ座標（原稿の幅方向の座標）のみを左右反転させた座標位置に、同じ円形枠の画像が存在するはずであるので、その左右反転させた円形枠相当の座標位置の画像をスタンプ等の部分画像を特定部分画像として検出する。
【００２８】
このように、反対面の裏写り画像の検出により、処理対象面の特定部分画像の位置が特定（検出）されるので、処理対象面の画像から直接的に特定部分画像を抽出する場合のように、特定部分画像をそれ以外の画像と識別して抽出する必要がない。この結果、原稿画像の種類を表す特定部分画像の記録位置を定めておかなくても、演算負荷の低い簡易な演算により、特定部分画像の検出を誤検出することなく精度よく検出することができる。
【００２９】
原稿の特定部分画像が検出されると、対象面画像データに分類情報としての、例えば、ファイル名を付して保存される。本発明では、ファイル名は、制御部１５内に備えたデータ分類手段１３により、検出された特定部分画像に基づいて、特定部分画像と対応付けられたファイル名のデータベース（テーブル）から、自動的に選択付与するようにすることができるように構成されている。ファイル名が付与されると、対象面画像データは、所定の保存先である保存用メモリ１４内のファイルシステム２５に保存される。また、この他に、ファイル名としては、操作・表示部１２を通じて利用者により設定することができ、制御部１５が備える時計機能により計時されたその時点の日時等を用いることもできる。
【００３０】
ファイル名等のデータベース２６は、例えば、予め考え得るスタンプ印や捺印等の特定部分画像の候補、又は文字情報と、その各々に対応するフォルダ名とを対応付けたテーブルで用意し、保存用メモリ１４に格納しておく。そして、読み出された原稿画像から特定部分画像が検出されるごとに、上記の対応テーブルを適用することによって、フォルダ名を自動的に付与し、所定の保存先に保存記憶されるようにする。これにより、画像読取りごとに保存先を決めるとするフォルダ名等の分類情報を入力する手間が利用者に生じないようにすることができる。
【００３１】
また、画像処理装置Ｘには、保存用メモリ１４に原稿画像データをフォルダ単位で管理するファイルシステム２５が格納されている。ファイルシステム２５に保存されている対象面画像データは、制御部１５内のファイル管理プログラムによって、容易にアクセスし、抽出することができる。抽出した対象面画像データは、記録紙に印刷されたり、通信回線を使って、ＦＡＸしたりホスト装置に送信することができる。
しかし、例えば、保存されるファイルが分類情報によって、「社外秘」や「部外秘」、「複写禁止」のような特定原稿に区分することができる。このような、特定原稿に対しては、パスワード等が設定されて、特定の利用者のみがアクセスできるようにアクセス制限が付される。これにより、機密文書（機密原稿）等の画像データが、認証を受けていない人に抽出されるのを防止することができる。
【００３２】
次に、読取られる原稿画像が更新されている場合についてのデータ更新処理について説明する。これは、原稿が以前に読取られていて、分類情報（例えば、ファイル名）が付されて保存されたものであるが、その後、さらに上位者によりスタンプあるいは押印が追加されたりして、原稿画像の特定部分画像（裏写り画像）が変更されることがある。このような場合、変更（更新）後の原稿を読取ると、特定部分画像が以前に検出したものと異なる結果、新規の原稿画像として扱われる。そして、新たにデータ分類処理が行われ、登録済みの原稿画像とは異なるものとして新たなファイル名が付されたりすることがある。
【００３３】
図３は、上記の原稿画像の特定部分画像が変更（更新）された一例を示す図である。図３（Ａ）は、前回にスキャンされて読取られたときの原稿画像であり、図３（Ｂ）は今回スキャンされて読取られた更新された原稿画像である。楕円で囲む部分は、各決裁者により捺印された状態で、裏写り画像（裏写り情報）となることから、この捺印の画像が上述した特定部分画像として扱うことができる。図３（Ａ）の原稿画像は、４人の決裁者により捺印がなされ、図３（Ｂ）では６人の決裁者により捺印がなされているものとする。
【００３４】
図３（Ｃ）は、図３（Ａ）（Ｂ）の原稿画像に対して、上述したデータ分類手段及びデータ更新手段により自動付与したファイル名の一例を示す図である。なお、説明を分かりやすくするため、図３（Ａ）（Ｂ）に示す原稿の座標を示す格子の１マスを１画素とし、原稿の横方向をＸ座標、縦方向をＹ座標として説明する。ファイル名は、例えば、最初の文字列「ＤＯＣ０００１」は文書名を表し、原稿作成機器の名称（番号）や原稿作成日などの解りやすい記号等で、原稿の最初の読取り時に付与される。
【００３５】
次の数字列からなる情報は、裏写りする特定部分画像に対応付けたファイル名で、最初の数値は画素の量（画素数や画素サイズ）を示す情報で、図３（Ａ）の前回の読取り時の原稿では、捺印が４個なので画素数は４とされる。この画素の量は、原稿画像が更新されるごとに増えることはあっても減ることはないので、この裏写りした画素の量を比較することにより、比較的容易にファイルが更新されたか否かを判定することができる。次の４桁の数字は、裏写り画像の座標位置を示すもので、一番右端（Ｘ方向にｍａｘ）の印の座標（Ｘ，Ｙ）が（Ｘ１６，Ｙ０５）であるので、「１６０５」とされる。次の４桁の数字も、裏写り画像の座標位置を示すもので、一番左端（Ｘ方向にｍｉｎ）の印の座標が（Ｘ１３，Ｙ０５）であるので、「１３０５」とされる。最後の数値は、更新履歴情報を示すもので、最初の読取り時であることから「１」が付与される。
【００３６】
図３（Ｂ）の今回の読取り時の更新原稿では、捺印が前回より２つ増えて６個なので、画素の量を示す画素数は６とされる。裏写り画像の座標位置としては、一番右端（Ｘ方向にｍａｘ）の印の座標（Ｘ，Ｙ）が（Ｘ１６，Ｙ０５）であるので、「１６０５」とされる。次の裏写り画像の座標位置としては、前回より２つ増えて左端（Ｘ方向にｍｉｎ）の印の座標が（Ｘ０８，Ｙ０５）であるので、「０８０５」となる。最後の更新履歴情報は、２回目の更新原稿であることから「２」が付与される。したがって、同一の原稿ではあるが、今回の読取りでは捺印が２個追加されたことにより、特定部分画像が異なったものとなる。しかし、更新履歴情報が付され、文書名「ＤＯＣ０００１」、裏写り情報「１６０５」が一致することから、同一の原稿であると判定することができる。
【００３７】
図４は、図３のように更新された原稿画像を読み込んで、ファイル名に更新履歴情報を自動的に追加する処理を実施するフロー例を示す図である。
まず、ステップＳ１にて、更新された原稿が画像読取り部の原稿セットトレイ上にセットされる。次いで、原稿がセットされたことを検出して、ステップＳ２において、操作・表示部からの読取り開始操作で原稿が搬送される。この原稿の搬送中に、ステップＳ３において、処理対象面のおもて面を読取る第１読取り処理が行われる。また、このステップＳ３と並行して、ステップＳ４で処理対象面の裏面を読取る第２読取り処理が行われる。
【００３８】
次に、ステップＳ５において、通紙検知センサ等で原稿の搬送状態をチェックし、原稿終端が第１及び第２画像読取り部を通過したか否かをチェックし、通過未完了の場合（Ｓ５ＮＯ）は、ステップＳ２に戻って、原稿の搬送と画像の読取り処理を継続する。原稿の通過完了（Ｓ５ＹＥＳ）により、ステップＳ６に進んで、次の原稿（残りの原稿）があるか否かを原稿検知センサでチェックし、次の原稿がある場合（Ｓ６ＹＥＳ）は、ステップＳ７に進んで次原稿の給紙を行い、ステップＳ２に戻り、前述の処理を繰り返す。
【００３９】
ステップＳ６で、次の原稿がない場合（Ｓ６ＮＯ）は、ステップＳ８に進んで、第２読取り処理により得られた裏面の画像データに基づいて、ステップＳ９にて、裏写り画像（にじみ画像）があるか否かが検出される。その裏面画像に裏写り画像がなければ（Ｓ９ＮＯ）であれば、ステップＳ１０に進んで、読取った原稿の処理対象面のおもて面の画像データに対して、手入力により所定のファイル名を付与し、ステップＳ１７においてファイルシステムに保存する。
【００４０】
ステップＳ９にて裏写り画像がある場合（Ｓ９ＹＥＳ）は、ステップＳ１１にて、今回読取った裏写り画像の画像データ（ＸＹ座標、画素のサイズ等）を抽出する。次いで、ステップＳ１２で、ファイルシステムに登録されている前回に読取った当該原稿画像の裏写り情報と比較する。この結果、ステップＳ１３で裏写り画像に追加画像がある判定されれば（Ｓ１３ＹＥＳ）、ステップＳ１４にて、ファイル名に図３で説明した更新履歴情報を付加する。そして、ステップＳ１５にて追加された裏写り画像のデータが盛込まれたファイル名を自動生成する。
【００４１】
ステップＳ１３で裏写り画像に追加画像が無しと判定されれば（Ｓ１３ＮＯ）であれば、原稿画像に変更なしとして、ファイル名に更新履歴情報を付加することなく、ステップＳ１５にてそのまま裏写り画像のデータが盛込まれたファイル名を自動生成する。この後、自動生成されたファイル名をステップＳ１６にて保存するファイル名として確定し、ステップＳ１７にてファイルシステムに保存し、終了する。
【００４２】
図５は、図３（Ｂ）のように更新された原稿画像を読み込んだ際に、更新前のファイルを検索あるいは類似のファイルがあるかを検索するフロー例を示す図である。
ステップＳ１の更新原稿セットからステップＳ９の裏写り画像（にじみ画像）検出までは、図４のフロー例と同じであるので説明を省略する。
【００４３】
ステップＳ９にて、更新原稿の裏面画像に裏写り画像があるか否かが検出され、裏写り画像がなければ（Ｓ９ＮＯ）であれば、ステップＳ２０に進んで、手入力により、検索しようとするファイル名（例えば、今回の読み取った原稿画像のファイル名や類似のファイル名）を入力し、ステップＳ２７においてファイルの検索を実行する。これにより、入力されたファイル名の原稿画像が、既に登録されているかが検索され、更新前のファイル等を呼び出すことができる。
【００４４】
ステップＳ９にて裏写り画像がある場合（Ｓ９ＹＥＳ）は、ステップＳ２１にて、今回読取った裏写り画像の画像データ（ＸＹ座標、画素のサイズ等）を抽出する。次いで、ステップＳ２２で、原稿画像の裏写り情報の画素の量（画素数、画素サイズ）を保存済みの数値と比較する。この結果、ステップＳ２３で裏写り画像が一致していると判定されれば（Ｓ２３ＹＥＳ）、ステップＳ２４にて、今回読込んだ更新原稿の裏写り画像のデータを盛り込んだファイル名を自動生成する。そして、ステップＳ２６でこの自動生成されたファイル名を検索するファイル名として、ステップＳ２７においてファイルの検索を実行する。
【００４５】
ステップＳ２３で、裏写り画像が一致していないと判定されれば（Ｓ２３ＮＯ）、ステップＳ２５に進んで、更新前に登録されているファイルの一覧を表示させる。この中から更新原稿と一致するファイル名のもの或いは類似するファイル名を選択して、ステップＳ２６で検索するファイル名とし、ステップＳ２７においてファイルの検索を実行する。
【００４６】
なお、更新前の原稿のファイルを検索する場合、更新後の原稿を読取って検索すると、まず更新後のファイル名が自動生成される。このファイル名には、図３で説明したように更新履歴情報と最初に読取ったときに付与した文字列が付与されているので、このファイル名の文字列でファイルを呼び出し、更新履歴情報をたどってゆけば、更新前の原稿のファイルを呼び出すことができる。
【００４７】
また、上述した実施形態は、スキャナ装置や複写機等の画像処理装置を想定したものであるが、これに限らず、パーソナルコンピュータ等の汎用の計算機により同様の機能が実現することもできる。この場合、本発明は、例えば、スキャナが接続されたパーソナルコンピュータ等の計算機により実行されることによって、上述した実施形態と同様の機能が実現される画像処理プログラムとして、また、そのような画像処理プログラムが記録されたコンピュータ読み取り可能な記録媒体として構成することができる。
【図面の簡単な説明】
【００４８】
【図１】本発明による画像処理装置の概略を説明するブロック図である。
【図２】本発明による画像処理装置の画像読取り部周辺の概略を説明する図である。
【図３】本発明において原稿画像の特定部分画像が更新された一例を示す図である。
【図４】本発明において、ファイル名に更新履歴情報を自動的に追加するフロー例を示す図である。
【図５】本発明において、更新前のファイルあるいは類似ファイルを検索するフロー例を示す図である。
【図６】読み取り原稿画像と裏写り画像の一例を説明する図である。
【符号の説明】
【００４９】
１１ａ…通信部、１１ｂ…回線制御部、１２…操作・表示部、１３ａ…第１画像メモリ、１３ｂ…第２画像メモリ、１４…保存用メモリ、１５…制御部、１６ａ…第１画像読取り部、１６ｂ…第２画像読取り部、１７…画像処理部、１８…印刷部、１９…給紙部、２１…裏写り画像検出手段、２２…特定部分画像検出手段、２３…データ分類手段、２４…データ更新手段、２５…ファイルシステム、２６…データベース。
【図１】
2008077197.tif 000003
【図２】
2008077197.tif 000004
【図３】
2008077197.tif 000005
【図４】
2008077197.tif 000006
【図５】
2008077197.tif 000007
【図６】
2008077197.tif 000008